【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
負荷を支持するためのせん断プレートアセンブリーのないプラットホームと、
該プラットホームを表面上で支持するための負荷検知器であって、該負荷検知器の各々が、該表面に結合された圧力部材であって、該負荷の下向きの力に応答して重量データを提供するための歪ゲージに結合された圧力部材を有するロードセルを含む、負荷検知器と、
該負荷検知器とデータ通信するディスプレイユニットであって、保護手段が計量位置にあるときに該負荷に対応する重量を表示するディスプレイユニットと
を備える、産業パレット。
【請求項２】
前記負荷検知器の各々がさらに、前記プラットホームを前記表面上で支持し保護位置において前記下向きの力が前記圧力部材に中継されるのを防止する保護手段を含み、該保護手段が前記計量位置において該圧力部材を該表面に結合する、請求項１に記載の産業パレット。
【請求項３】
前記保護手段が、
前記計量位置において前記圧力部材を前記表面に結合する拡張足部と、
前記保護位置において前記プラットホームを該表面上で支持するための間隔を提供する手段と
を含む、請求項２に記載の産業パレット。
【請求項４】
前記間隔を提供する手段が、前記保護位置において前記プラットホームの下面から前記表面に向かって前記圧力部材を越えて距離Ｘ延びている支持部材を含み、前記拡張足部が前記計量位置において該圧力部材と該表面との間に挿入可能であり、該拡張足部はＸよりも大きい厚みＹを有する、請求項２に記載の産業パレット。
【請求項５】
前記拡張足部が、前記負荷検知器の本体に旋回可能に接続された弾力のある支持アームに接続されている、請求項５に記載の産業パレット。
【請求項６】
前記拡張足部が、ベースと、水平ベースから延びていて縁で終端する一体化した側壁とを有するカップ形状のスペーサーを含み、該カップ形状のスペーサーが、前記保護位置において前記プラットホームを前記表面上で支持する一方で前記ロードセルを実質的に収容し、該カップ形状のスペーサーが前記計量位置において転回可能であり、該計量位置において、該ベースが前記圧力部材にかみ合いかつ該縁が該表面にもたれる、請求項３に記載の産業パレット。
【請求項７】
前記間隔を提供する手段が、前記ロードセルを囲み前記圧力部材を越えて地面に向かって下向きに延びる環状の壁を含み、前記拡張足部が該圧力部材とネジでかみ合っており、該拡張足部が、前記計量位置においては前記表面に接触するために該環状の壁を越えて延び、前記保護位置においては該環状の壁内にぶら下がるように縮小可能である、請求項３に記載の産業パレット。
【請求項８】
各負荷検知器の前記重量データを受信し、総計の重量データを前記ディスプレイユニットに提供するための接合ボックスをさらに含む、請求項１に記載の産業パレット。
【請求項９】
前記接合ボックスが、前記負荷検知器の各々に接続された第１の相補的なプラグを取り外し可能に受け止める標準の入力ジャックと、前記ディスプレイユニットに接続された第２の相補的なプラグを取り外し可能に受け止める標準の出力ジャックとを含み、該接合ボックスが、該標準の入力ジャックおよび該標準の出力ジャックを固定するために永久にシールされている、請求項８に記載の産業パレット。
【請求項１０】
前記接合ボックスが、前記標準の出力ジャックに接続された信号バスを有する合計ボードを含み、前記標準の入力ジャックの各々が該信号バスに並列に接続されたワイヤのセットを有する、請求項９に記載の産業パレット。
【請求項１１】
それぞれ、前記標準の入力ジャックおよび前記標準の出力ジャックがＲＪ−１１およびＲＪ−４５ジャックのうちの１つを含み、前記第１の相補的なプラグおよび前記第２の相補的なプラグがＲＪ−１１およびＲＪ−４５プラグのうちの１つを含む、請求項９に記載の産業パレット。
【請求項１２】
前記プラットホームが、少なくとも１つの折りたたみ軸回りで互いに対して折りたたみ可能な少なくとも２つの折りたたみ可能な部分を含み、該少なくとも２つの折りたたみ可能な部分が平面の位置と折りたたまれ位置との間で折りたたみ可能である、請求項１に記載の産業パレット。
【請求項１３】
前記折りたたまれ位置において前記パレットを取り外し可能にロックするためのロックする手段をさらに備える、請求項１２に記載の産業パレット。
【請求項１４】
前記プラットホームが、熱可塑性の材料で構成されており、２つの隣接する折りたたみ可能な部分を前記平面の位置と前記折りたたまれ位置との間で折りたたみ可能にするように曲げやすいヒンジ接続を提供するために、該隣接する折りたたみ可能な部分間に少なくとも１つのヒンジ形成溝を含む、請求項１２に記載の産業パレット。
【請求項１５】
前記プラットホームが、２つの端部分に隣接する中央部分を含み、該２つの端部分は該中央部分に対して互いの方向に向かって対応する折りたたみ軸のところで折りたたみ可能であり、該２つの端部分の各々が、前記負荷検知器を収容するために該中央部分に対して実質的に９０度の角度まで折りたたみ可能である、請求項１に記載の産業パレット。
【請求項１６】
前記ディスプレイユニットがＬＣＤディスプレイおよびＬＥＤディスプレイのうちの１つを含む、請求項１に記載の産業パレット。
【請求項１７】
前記パレットが、中央演算ユニット（ＣＰＵ）およびモニターを有する少なくとも１つのコンピューターとデータ通信する、請求項１に記載の産業パレット。
【請求項１８】
前記ディスプレイユニットが前記コンピューターの前記モニターである、請求項１７に記載の産業パレット。
【請求項１９】
前記プラットホームの第１の端に接続された、該第１の端を傾斜させられた位置まで持ち上げるためのハンドルと、
該第１の端と反対の該プラットホームの第２の端に接続された、該プラットホームが該傾斜させられた位置にまで持ち上げられたときに前記表面とかみ合うための複数の車輪と
をさらに備える、請求項１に記載の産業パレット。
【請求項２０】
プラットホームの下面に装着可能な負荷検知器であって、
表面に結合された圧力部材であって、該プラットホームに加えられた力に応答して重量データを提供するための歪ゲージに物理的に接続された圧力部材を有するロードセルと、
該プラットホームを支持し、保護位置において該下向きの力が該ロードセルに結合されるのを抑制するための保護手段であって、該保護手段が計量位置において該圧力部材を該表面に結合する、保護手段と
を備える、負荷検知器。
【請求項２１】
前記保護手段が、
前記計量位置において前記圧力部材を前記表面に結合するための拡張足部と、
前記保護位置において前記プラットホームを該表面上で支持するための間隔を提供する手段と
を含む、請求項２０に記載の負荷検知器。
【請求項２２】
前記間隔を提供する手段が、前記ロードセルを囲む支持部材であって前記プラットホームを前記表面上で支持する支持部材を含み、該支持部材が前記保護位置において、前記下面から該表面に向かって前記圧力部材を越えて距離Ｘ延び、前記拡張足部が前記計量位置において該圧力部材と該表面との間に挿入可能であり、該拡張足部がＸよりも大きい厚みＹを有している、請求項２１に記載の負荷検知器。
【請求項２３】
前記拡張足部が、前記負荷検知器の本体に旋回可能に接続された弾力のある支持アームに接続されている、請求項２２に記載の負荷検知器。
【請求項２４】
前記拡張足部が、ベースと、水平ベースから延びていて縁で終端する一体化した側壁とを有するカップ形状のスペーサーを含み、該カップ形状のスペーサーが、前記保護位置において前記プラットホームを前記表面上で支持する一方で前記ロードセルを実質的に収容し、該カップ形状のスペーサーが前記計量位置において転回可能であり、該計量位置において、該ベースが前記圧力部材にかみ合いかつ該縁が該表面にもたれる、請求項２１に記載の負荷検知器。
【請求項２５】
前記間隔を提供する手段が、前記ロードセルを囲み前記圧力部材を越えて地面に向かって下向きに延びる環状の壁を含み、前記拡張足部が前記圧力部材とネジでかみ合っており、該拡張足部が、前記計量位置においては前記表面に接触するために該環状の壁を越えて延び、前記保護位置においては該環状の壁内にぶら下がるように縮小可能である、請求項２１に記載の負荷検知器。
【請求項２６】
重量計であって、
複数の折りたたみ可能な部分を有するプラットホームと、
該プラットホームに取り外し可能に装着される複数の負荷検知器であって、各負荷検知器は、ロードセルを含む、複数の負荷検知器と、
該ロードセルのうちの１つ以上に結合された圧力部材と、
各圧力部材に結合された歪ゲージであって、該プラットホームに負荷が加えられたときに、電気的出力を提供するように構成された歪ゲージと
を含む、重量計。
【請求項２７】
少なくとも１つのロードセルとデータ通信するディスプレイユニットをさらに含む、請求項２６、５３または５５に記載の重量計。
【請求項２８】
前記ディスプレイユニットは、モニター、ＬＣＤディスプレイ、ＬＥＤディスプレイのうちの１つである、請求項２７に記載の重量計。
【請求項２９】
前記ロードセルのうちの少なくとも１つからデータを受信する接合ボックスであって、該データをディスプレイユニットに提供する接合ボックスをさらに含む、請求項２６または５３に記載の重量計。
【請求項３０】
合計ボードを用いて前記ロードセルからのデータを総計する接合ボックスであって、該データをディスプレイユニットに提供する接合ボックスをさらに含む、請求項２６または５５に記載の重量計。
【請求項３１】
前記合計ボードは、前記接合ボックス内にあり、かつ、少なくとも１つのケーブルによって前記ロードセルのうちの少なくとも１つに結合されている、請求項３０に記載の重量計。
【請求項３２】
前記合計ボードは、前記接合ボックス内にあり、かつ、前記ロードセルのうちの少なくとも１つに無線で結合されている、請求項３０に記載の重量計。
【請求項３３】
前記ディスプレイユニットは、少なくとも１つのロードセルと無線通信する、請求項２７に記載の重量計。
【請求項３４】
前記プラットホームは、少なくとも１つの折りたたみ軸に沿って平面の位置と折りたたまれ位置との間で折りたたみ可能である第１の部分および第２の部分を少なくとも有する、請求項２６に記載の重量計。
【請求項３５】
前記プラットホームを前記折りたたまれ位置に固定するための少なくとも１つのラッチをさらに含む、請求項３４に記載の重量計。
【請求項３６】
少なくとも１つの負荷検知器は、保護デバイスを含む、請求項２６または５５に記載の重量計。
【請求項３７】
前記保護デバイスは、前記プラットホームを表面上に支持する、請求項３６に記載の重量計。
【請求項３８】
前記歪ゲージは、前記保護デバイスが第１の位置にあるときに、どのようなせん断プレートアセンブリーの助けもなしに、前記圧力部材によって活性化される、請求項３７に記載の重量計。
【請求項３９】
前記保護デバイスは、第１の位置にあるときに、前記圧力部材を表面に結合する拡張足部をさらに含む、請求項３６に記載の重量計。
【請求項４０】
前記保護デバイスは、下向きの力が前記圧力部材に中継されるのを防止する前記ロードセルを囲む環状の壁をさらに含む、請求項３６に記載の重量計。
【請求項４１】
前記プラットホームに結合されたハンドルをさらに含む、請求項２６または５３に記載の重量計。
【請求項４２】
前記ハンドルの反対側に位置する少なくとも２つのオフセット車輪をさらに含み、該オフセット車輪は、前記プラットホームが持ち上げられたときに、表面にかみ合う、請求項４１または５８に記載の重量計。
【請求項４３】
前記プラットホームは、該プラットホームの２つの端部が互いに向けて折りたたまれることを可能にする少なくとも１つのヒンジをさらに含む、請求項４２または５３に記載の重量計。
【請求項４４】
前記複数の負荷検知器は、前記プラットホームに取り外し可能に装着された４個、５個、９個の負荷検知器のうちの１つをさらに含む、請求項２６または５３に記載の重量計。
【請求項４５】
前記プラットホームは、別のプラットホームとネスト可能である、請求項２６に記載の重量計。
【請求項４６】
前記ディスプレイユニットは、接合ボックスと無線通信する、請求項２７に記載の重量計。
【請求項４７】
プラットホームに装着可能な負荷検知器であって、
圧力部材を有するロードセルと、
第１の位置において下向きの力が前記圧力部材に中継されることを防止する検知器保護と
を含む、負荷検知器。
【請求項４８】
歪ゲージをさらに含み、該歪ゲージは、前記検知器保護が第２の位置にあるときに、どのようなせん断プレートアセンブリーの助けもなしに、前記圧力部材によって活性化される、請求項４７または５３に記載の負荷検知器。
【請求項４９】
前記検知器保護は、前記第２の位置において延び、かつ、前記第１の位置において縮小する、拡張足部をさらに含む、請求項４８に記載の負荷検知器。
【請求項５０】
前記拡張足部は、前記負荷検知器の本体に結合される弾力のある支持アームに結合される、請求項４９に記載の負荷検知器。
【請求項５１】
前記弾力ある支持アームは、前記負荷検知器の前記本体に旋回可能に接続される、請求項５０に記載の負荷検知器。
【請求項５２】
前記プラットホームの下面において環状の壁によって規定される間隙をさらに含み、該環状の壁は、前記ロードセルを囲み、該ロードセルを越えて下向きに延び、前記拡張足部は、前記第２の位置にあるときに、該環状の壁を越えて延びることが可能である、請求項４９に記載の負荷検知器。
【請求項５３】
重量計であって、
プラットホームと、
該プラットホームに結合された少なくとも１つの負荷検知器であって、各負荷検知器は、圧力部材を有するロードセルを有する、少なくとも１つの負荷検知器と、
第１の位置において下向きの力が前記圧力部材に中継されることを防止する保護手段と
を含む、重量計。
【請求項５４】
第２の位置にあるときに、前記圧力部材を表面に結合する拡張足部をさらに含む、請求項５３に記載の重量計。
【請求項５５】
パレットであって、
せん断プレートアセンブリーのないプラットホームと、
該プラットホームに取り外し可能に装着される９個の負荷検知器であって、各負荷検知器は、ロードセルおよび圧力部材を含む、９個の負荷検知器と
を含む、パレット。
【請求項５６】
前記プラットホームは、少なくとも１つの折りたたみ可能な部分を含む、請求項５５に記載のパレット。
【請求項５７】
前記ロードセルからデータを受信する接合ボックスをさらに含む、請求項５５に記載のパレット。
【請求項５８】
前記プラットホームは、別のプラットホームとネスト可能である、請求項５５に記載のパレット。